(57)【要約】  電話帳データ共有システムは、携帯端末と、ナビゲーション装置と、を備える。携帯端末は、情報取得手段と、電話帳データ生成手段と、電話帳データ供給手段と、電話帳データ供給手段と、を備える。情報取得手段は、外部入力に基づき緯度経度情報を含む目的情報を取得する。電話帳データ生成手段は、名前のフィールド又は電話番号のフィールドの少なくとも一方に緯度経度情報を挿入した電話帳データを生成する。ナビゲーション装置は、電話帳データ取得手段と、緯度経度情報抽出手段と、を備える。電話帳データ取得手段は、携帯端末から供給された電話帳データを取得する。緯度経度情報抽出手段は、取得した電話帳データから緯度経度情報を抽出する。
2010146703.tif 000002
【特許請求の範囲】
【請求項１】
所定の形式により電話帳データを保持する端末装置と、前記端末装置と電磁的な方法により電話帳データの授受を行うナビゲーション装置と、を備える電話帳データ共有システムであって、
前記端末装置は、
外部入力に基づき緯度経度情報を含む目的情報を取得する情報取得手段と、
前記目的情報に基づき、名前のフィールド又は電話番号のフィールドの少なくとも一方に前記緯度経度情報を挿入した電話帳データを生成する電話帳データ生成手段と、
前記電話帳データを前記ナビゲーション装置へ供給する電話帳データ供給手段と、を備え、
前記ナビゲーション装置は、
前記電話帳データ供給手段が供給した電話帳データを取得する電話帳データ取得手段と、
取得した前記電話帳データから前記緯度経度情報を抽出する緯度経度情報抽出手段と、
を備えることを特徴とする電話帳データ共有システム。
【請求項２】
前記電話帳データ生成手段は、前記フィールドに前記緯度経度情報を挿入する場合、前記名前又は前記電話番号の情報に続けて前記緯度経度情報を配列し、両者を区分けするための記号を前記緯度経度情報の前後のいずれか又は両方に付することを特徴とする請求項１に記載の電話帳データ共有システム。
【請求項３】
前記ナビゲーション装置は、
記憶部と、
前記電話帳データ取得手段により取得した電話帳データから前記名前のフィールド及び前記電話番号のフィールドを抽出して新たな電話帳データを生成し前記記憶部に格納する電話帳データ格納手段と、
をさらに備えることを特徴とする請求項１または２に記載の電話帳データ共有システム。
【請求項４】
前記ナビゲーション装置は、
表示部と、
前記記憶部に記憶された電話帳データのリストを表示すると共に、前記リストの各項目には、前記緯度経度情報を含むか否かを識別するための表示を付する表示制御手段と、
をさらに備えることを特徴とする請求項３に記載の電話帳データ共有システム。
【請求項５】
前記表示制御手段は、前記リストから外部入力に基づき指定された項目が前記緯度経度情報を含む場合、当該緯度経度情報に基づき前記表示部に地図表示を行うことを特徴とする請求項４に記載の電話帳データ共有システム。
【請求項６】
電磁的な方法により端末装置から名前のフィールド又は電話番号のフィールドの少なくとも一方に緯度経度情報が挿入された電話帳データの供給を受けるナビゲーション装置であって、
前記端末装置から電話帳データを取得する電話帳データ取得手段と、
前記電話帳データから前記緯度経度情報を抽出する緯度経度情報抽出手段と、
を備えることを特徴とするナビゲーション装置。
【請求項７】
記憶部と、
前記電話帳データ取得手段により取得した電話帳データから前記名前のフィールド及び前記電話番号のフィールドを抽出して新たな電話帳データを生成し前記記憶部に格納する電話帳データ格納手段と、
をさらに備えることを特徴とする請求項６に記載のナビゲーション装置。
【請求項８】
表示部と、
前記記憶部に記憶された電話帳データのリストを表示すると共に、前記リストの各項目には、前記緯度経度情報を含むか否かを識別するための表示を付する表示制御手段と、
をさらに備えることを特徴とする請求項７に記載のナビゲーション装置。
【請求項９】
前記表示制御手段は、前記リストから外部入力に基づき指定された項目が前記緯度経度情報を含む場合、当該緯度経度情報に基づき前記表示部に地図表示を行うことを特徴とする請求項８に記載のナビゲーション装置。
【請求項１０】
電磁的な方法によりナビゲーション装置と電話帳データの授受を行う端末装置であって、
外部入力に基づき緯度経度情報を含む目的情報を取得する情報取得手段と、
前記目的情報に基づき、名前のフィールド又は電話番号のフィールドの少なくとも一方に前記緯度経度情報を挿入した電話帳データを生成する電話帳データ生成手段と、
前記電話帳データを前記ナビゲーション装置へ供給する電話帳データ供給手段と、を備えることを特徴とする端末装置。
【請求項１１】
前記電話帳データ生成手段は、前記フィールドに前記緯度経度情報を挿入する場合、前記名前又は前記電話番号と区分けするための記号を前記緯度経度情報の前後に付することを特徴とする請求項１０に記載の端末装置。
【請求項１２】
電磁的な方法により端末装置から名前のフィールド又は電話番号のフィールドの少なくとも一方に緯度経度情報が挿入された電話帳データの供給を受けるナビゲーション装置により実行されるプログラムであって、
前記端末装置から電話帳データを取得する電話帳データ取得手段と、
前記電話帳データから前記緯度経度情報を抽出する緯度経度情報抽出手段
として前記ナビゲーション装置を機能させることを特徴とするプログラム。
【請求項１３】
電磁的な方法によりナビゲーション装置と電話帳データの授受を行う端末装置により実行されるプログラムであって、
外部入力に基づき緯度経度情報を含む目的情報を取得する情報取得手段と、
前記目的情報に基づき、名前のフィールド又は電話番号のフィールドの少なくとも一方に前記緯度経度情報を挿入した電話帳データを生成する電話帳データ生成手段と、
前記電話帳データを前記ナビゲーション装置へ供給する電話帳データ供給手段として前記端末装置を機能させることを特徴とするプログラム。
【請求項１４】
請求項１２又は請求項１３に記載のプログラムを記憶したことを特徴とする記憶媒体。
【発明の詳細な説明】
【技術分野】
【０００１】
本発明は、緯度経度情報を含む電話帳データの授受を行う技術に関する。
【背景技術】
【０００２】
従来から、緯度経度情報などの位置情報を、該当する名称や電話番号と共に電話帳データとして記録し、共有する技術が存在する。例えば、特許文献１には、地点座標のフィールドを含む電話帳データを携帯電話から受信し、当該地点座標に基づき地図表示を行う技術が開示されている。
【先行技術文献】
【特許文献】
【０００３】
【特許文献１】特開２００５−００３４３１号公報
【発明の概要】
【発明が解決しようとする課題】
【０００４】
特許文献１によれば、ナビゲーション装置は、位置情報を含む電話帳データを携帯電話から取得し、活用することができる。一方、特許文献１では、電話帳データに地点座標専用のフィールドを設けている。しかし、一般に、ナビゲーション装置が保持する電話帳データの形式には、地点座標のフィールドが存在しない場合がある。従って、この場合、ナビゲーション装置は、メモリへの保存時等に電話帳データに含まれる地点座標の情報を破棄等してしまう可能性がある。特許文献１には、上記の問題は、何ら検討されていない。【０００５】
本発明は、上記のような課題を解決するためになされたものであり、緯度経度情報を含む電話帳データを確実に共有することが可能な電話帳データ共有システムを提供することを目的とする。
【課題を解決するための手段】
【０００６】
請求項１に記載の発明は、所定の形式により電話帳データを保持する端末装置と、前記端末装置と電磁的な方法により電話帳データの授受を行うナビゲーション装置と、を備える電話帳データ共有システムであって、前記端末装置は、外部入力に基づき緯度経度情報を含む目的情報を取得する情報取得手段と、前記目的情報に基づき、名前のフィールド又は電話番号のフィールドの少なくとも一方に前記緯度経度情報を挿入した電話帳データを生成する電話帳データ生成手段と、前記電話帳データを前記ナビゲーション装置へ供給する電話帳データ供給手段と、を備え、前記ナビゲーション装置は、前記電話帳データ供給手段が供給した電話帳データを取得する電話帳データ取得手段と、取得した前記電話帳データから前記緯度経度情報を抽出する緯度経度情報抽出手段と、を備えることを特徴とする。【０００７】
請求項６に記載の発明は、電磁的な方法により端末装置から名前のフィールド又は電話番号のフィールドの少なくとも一方に緯度経度情報が挿入された電話帳データの供給を受けるナビゲーション装置であって、前記端末装置から電話帳データを取得する電話帳データ取得手段と、前記電話帳データから前記緯度経度情報を抽出する緯度経度情報抽出手段と、を備えることを特徴とする。【０００８】
請求項１０に記載の発明は、電磁的な方法によりナビゲーション装置と電話帳データの授受を行う端末装置であって、外部入力に基づき緯度経度情報を含む目的情報を取得する情報取得手段と、前記目的情報に基づき、名前のフィールド又は電話番号のフィールドの少なくとも一方に前記緯度経度情報を挿入した電話帳データを生成する電話帳データ生成手段と、前記電話帳データを前記ナビゲーション装置へ供給する電話帳データ供給手段と、を備えることを特徴とする。【０００９】
請求項１２に記載の発明は、電磁的な方法により端末装置から名前のフィールド又は電話番号のフィールドの少なくとも一方に緯度経度情報が挿入された電話帳データの供給を受けるナビゲーション装置により実行されるプログラムであって、前記端末装置から電話帳データを取得する電話帳データ取得手段と、前記電話帳データから前記緯度経度情報を抽出する緯度経度情報抽出手段として前記ナビゲーション装置を機能させることを特徴とする。【００１０】
請求項１３に記載の発明は、電磁的な方法によりナビゲーション装置と電話帳データの授受を行う端末装置により実行されるプログラムであって、外部入力に基づき緯度経度情報を含む目的情報を取得する情報取得手段と、前記目的情報に基づき、名前のフィールド又は電話番号のフィールドの少なくとも一方に前記緯度経度情報を挿入した電話帳データを生成する電話帳データ生成手段と、前記電話帳データを前記ナビゲーション装置へ供給する電話帳データ供給手段として前記端末装置を機能させることを特徴とする。
【図面の簡単な説明】
【００１１】
【図１】本実施例に係る電話帳データ共有システムの概略構成の一例である。
【図２】本実施例に係る電話帳データ共有システムの機能ブロックの一例である。
【図３】携帯端末が記憶する電話帳データの形式の一例である。
【図４】ＰＢＡＰのフォーマットの一部を示す図の一例である。
【図５】ナビゲーション装置が記憶する電話帳データの形式の一例である。
【図６】ナビゲーション装置が出力する表示例を示す。
【図７】本実施例の処理手順を示すフローチャートの一例である。
【発明を実施するための形態】
【００１２】
本発明の１つの観点では、所定の形式により電話帳データを保持する端末装置と、前記端末装置と電磁的な方法により電話帳データの授受を行うナビゲーション装置と、を備える電話帳データ共有システムであって、前記端末装置は、外部入力に基づき緯度経度情報を含む目的情報を取得する情報取得手段と、前記目的情報に基づき、名前のフィールド又は電話番号のフィールドの少なくとも一方に前記緯度経度情報を挿入した電話帳データを生成する電話帳データ生成手段と、前記電話帳データを前記ナビゲーション装置へ供給する電話帳データ供給手段と、を備え、前記ナビゲーション装置は、前記電話帳データ供給手段が供給した電話帳データを取得する電話帳データ取得手段と、取得した前記電話帳データから前記緯度経度情報を抽出する緯度経度情報抽出手段と、を備える。
【００１３】
上記の電話帳データ共有システムは、端末装置と、ナビゲーション装置と、を備える。端末装置は、例えば携帯電話やＰＣ（Ｐｅｒｓｏｎａｌ  Ｃｏｍｐｕｔｅｒ）であり、所定の形式により電話帳データを保持する。ナビゲーション装置は、端末装置と電磁的な方法により電話帳データの授受を行う。ここで、「電磁的な方法」とは、無線通信、又はケーブル等を介した有線通信、その他記憶媒体による入出力、その他電話帳データの授受が可能な電磁的な方法を指す。
【００１４】
上記の端末装置は、情報取得手段と、電話帳データ生成手段と、電話帳データ供給手段と、を備える。情報取得手段は、外部入力に基づき緯度経度情報を含む目的情報を取得する。ここで、「外部入力」とは、端末装置の利用者等の操作に基づく入力を指す。また「目的情報」とは、インターネットなどの通信網を介した検索等により得られた情報を指し、例えば、人物名、店名、又は地名等、及び、これらの電話番号、並びに、緯度経度情報などを含む。また、ここで、「緯度経度情報」とは、例えば緯度及び経度をそれぞれ数値で特定した情報を指し、その他位置を特定するための情報を指す。電話帳データ生成手段は、名前のフィールド又は電話番号のフィールドの少なくとも一方に緯度経度情報を挿入した電話帳データを生成する。一般に、電話帳データは、種々の形式が存在し、電話帳データを保存する装置によって構成要素となるフィールドもさまざま定義される。しかし、電話帳データは、その本来的な役割及び機能から、いずれの定義によっても、必ず名前の情報を格納するフィールド及び電話番号の情報を格納するフィールドを含む。従って、電話帳データ生成手段は、確実に緯度経度情報をナビゲーション装置に供給し、活用させることができる。電話帳データ供給手段は、生成した電話帳データを上述した電磁的な方法によりナビゲーション装置へ供給する。
【００１５】
上記のナビゲーション装置は、電話帳データ取得手段と、緯度経度情報抽出手段と、を備える。電話帳データ取得手段は、電磁的な方法により、端末装置から供給された電話帳データを取得する。緯度経度情報抽出手段は、取得した電話帳データから緯度経度情報を抽出する。これにより、ナビゲーション装置は、確実に端末装置から緯度経度情報を取得し、活用することができる。例えば、その後、ナビゲーション装置は、緯度経度情報に基づき、地図表示を行い、当該緯度経度情報が示す地点を地点登録し、目的地として設定し、又は／及び経由地に設定する。以上のように、電話帳データ共有システムは、適切に緯度経度情報を含む電話帳データを端末装置及びナビゲーション装置間で共有し、同期させることができる。
【００１６】
上記の電話帳データ共有システムの一態様では、前記電話帳データ生成手段は、前記フィールドに前記緯度経度情報を挿入する場合、前記名前又は前記電話番号の情報に続けて前記緯度経度情報を配列し、両者を区分けするための記号を前記緯度経度情報の前後のいずれか又は両方に付する。このようにすることで、端末装置は、ナビゲーション装置に、正しく名前又は電話番号と緯度経度情報とを識別させることができる。
【００１７】
上記の電話帳データ共有システムの他の一態様では、前記ナビゲーション装置は、記憶部と、前記電話帳データ取得手段により取得した電話帳データから前記名前のフィールド及び前記電話番号のフィールドを抽出して新たな電話帳データを生成し前記記憶部に格納する電話帳データ格納手段と、をさらに備える。このように、上記の電話帳データ共有システムによると、ナビゲーション装置は、電話帳データとして名前のフィールド及び電話番号のフィールドのみを格納する場合であっても、緯度経度情報を破棄することなく確実に緯度経度情報を記憶し活用することができる。
【００１８】
上記の電話帳データ共有システムの他の一態様では、前記ナビゲーション装置は、表示部と、前記記憶部に記憶された電話帳データのリストを表示すると共に、前記リストの各項目には、前記緯度経度情報を含むか否かを識別するための表示を付する表示制御手段と、をさらに備える。このようにすることで、ナビゲーション装置は、表示した電話帳のリストが緯度経度情報を含むか否かについて利用者に容易に識別させることができ、ユーザビリティを向上させることができる。具体的には、ナビゲーション装置は、その後の操作において、例えば利用者が電話をかける意図を有していながら地図表示を行う旨の誤操作、又は、利用者が地図表示を行う意図を有しながら電話をかける旨の誤操作等を防止することができる。
【００１９】
上記の電話帳データ共有システムの他の一態様では、前記表示制御手段は、前記リストから外部入力に基づき指定された項目が前記緯度経度情報を含む場合、当該緯度経度情報に基づき前記表示部に地図表示を行う。その後、例えば、ナビゲーション装置は、目的地設定や経由地設定等の操作を受け付ける。このように、ナビゲーション装置は、端末装置から取得した緯度経度情報を有効に活用することができる。
【００２０】
本発明の他の観点では、電磁的な方法により端末装置から名前のフィールド又は電話番号のフィールドの少なくとも一方に緯度経度情報が挿入された電話帳データの供給を受けるナビゲーション装置であって、前記端末装置から電話帳データを取得する電話帳データ取得手段と、前記電話帳データから前記緯度経度情報を抽出する緯度経度情報抽出手段と、を備える。
【００２１】
上記のナビゲーション装置は、電磁的な方法により端末装置から名前のフィールド又は電話番号のフィールドの少なくとも一方に緯度経度情報が挿入された電話帳データの供給を受ける。また、ナビゲーション装置は、電話帳データ取得手段と、緯度経度情報抽出手段と、を備える。電話帳データ取得手段は、電磁的な方法により、端末装置から供給された電話帳データを取得する。緯度経度情報抽出手段は、取得した電話帳データから緯度経度情報を抽出する。これにより、ナビゲーション装置は、有効に端末装置から緯度経度情報を取得し、活用することができる。例えば、その後、ナビゲーション装置は、緯度経度情報に基づき、地図表示を行い、当該緯度経度情報が示す地点を地点登録し、目的地として設定し、又は／及び経由地に設定する。
【００２２】
上記のナビゲーション装置の一態様では、記憶部と、前記電話帳データ取得手段により取得した電話帳データから前記名前のフィールド及び前記電話番号のフィールドを抽出して新たな電話帳データを生成し前記記憶部に格納する電話帳データ格納手段と、をさらに備える。
【００２３】
上記のナビゲーション装置の他の一態様では、表示部と、前記記憶部に記憶された電話帳データのリストを表示すると共に、前記リストの各項目には、前記緯度経度情報を含むか否かを識別するための表示を付する表示制御手段と、をさらに備える。
【００２４】
上記のナビゲーション装置の他の一態様では、前記表示制御手段は、前記リストから外部入力に基づき指定された項目が前記緯度経度情報を含む場合、当該緯度経度情報に基づき前記表示部に地図表示を行う。
【００２５】
本発明のさらに別の観点では、電磁的な方法によりナビゲーション装置と電話帳データの授受を行う端末装置であって、外部入力に基づき緯度経度情報を含む目的情報を取得する情報取得手段と、前記目的情報に基づき、名前のフィールド又は電話番号のフィールドの少なくとも一方に前記緯度経度情報を挿入した電話帳データを生成する電話帳データ生成手段と、前記電話帳データを前記ナビゲーション装置へ供給する電話帳データ供給手段と、を備える。
【００２６】
上記の端末装置は、情報取得手段と、電話帳データ生成手段と、電話帳データ供給手段と、電話帳データ供給手段と、を備える。情報取得手段は、外部入力に基づき緯度経度情報を含む目的情報を取得する。電話帳データ生成手段は、名前のフィールド又は電話番号のフィールドの少なくとも一方に前記緯度経度情報を挿入した電話帳データを生成する。一般に、電話帳データは、種々の形式が存在し、電話帳データを保存する装置によって構成要素となるフィールドもさまざま定義される。しかし、電話帳データは、その本来的な役割及び機能から、いずれの定義によっても、必ず名前の情報を格納するフィールド及び電話番号の情報を格納するフィールドを含む。従って、電話帳データ生成手段は、確実に緯度経度情報をナビゲーション装置に供給し、活用させることができる。電話帳データ供給手段は、生成した電話帳データを上述した電磁的な方法によりナビゲーション装置へ供給する。
【００２７】
上記の端末装置の一態様では、前記電話帳データ生成手段は、前記フィールドに前記緯度経度情報を挿入する場合、前記名前又は前記電話番号と区分けするための記号を前記緯度経度情報の前後に付する。
【００２８】
本発明のさらに別の観点では、電磁的な方法により端末装置から名前のフィールド又は電話番号のフィールドの少なくとも一方に緯度経度情報が挿入された電話帳データの供給を受けるナビゲーション装置により実行されるプログラムであって、前記端末装置から電話帳データを取得する電話帳データ取得手段と、前記電話帳データから前記緯度経度情報を抽出する緯度経度情報抽出手段として前記ナビゲーション装置を機能させる。ナビゲーション装置は、上記のプログラムを搭載することにより、確実に端末装置から緯度経度情報を取得し、活用することができる。なお、好適には、上記のプログラムは、記憶媒体に記憶される。
【００２９】
本発明のさらに別の観点では、電磁的な方法によりナビゲーション装置と電話帳データの授受を行う端末装置により実行されるプログラムであって、外部入力に基づき緯度経度情報を含む目的情報を取得する情報取得手段と、前記目的情報に基づき、名前のフィールド又は電話番号のフィールドの少なくとも一方に前記緯度経度情報を挿入した電話帳データを生成する電話帳データ生成手段と、前記電話帳データを前記ナビゲーション装置へ供給する電話帳データ供給手段として前記端末装置を機能させる。端末装置は、上記のプログラムを搭載することにより、確実に緯度経度情報をナビゲーション装置に供給し、活用させることができる。なお、好適には、上記のプログラムは、記憶媒体に記憶される。
【実施例】
【００３０】
以下、図面を参照して本発明の好適な実施例について説明する。以下では、本発明に係る電話帳データ共有システムの概略構成について説明した後、電話帳データ共有システムが実行する処理内容及び当該処理のフローについて説明する。さらに、その後、本実施例に関連する各変形例についてそれぞれ説明する。【００３１】
なお、以後において、「電話帳データ」とは、個人の氏名、店名又は地名などの名称（以後、単に「名前」と呼ぶ。）及びこれに対応する電話番号その他当該名前に関連する情報が所定の形式で一体となったデータを指す。【００３２】
［概略構成］
まず、本発明に係るシステムの概要について図１を用いて説明する。図１は、電話帳データ共有システム５００の概略構成の一例である。図１に示すように、電話帳データ共有システム５００は、携帯端末１００と、ナビゲーション装置２００と、を備える。電話帳データ共有システム５００では、携帯端末１００は、インターネットなどの通信網３００を介した検索等により得られた緯度経度情報（以後、「緯度経度情報Ｉｓ」と呼ぶ。）を電話帳データに付してナビゲーション装置２００へ送信する。上述の検索は、例えば、携帯端末１００の利用者（以後、単に「端末利用者」と呼ぶ。）がブラウザを用いて行うキーワード検索などが該当する。【００３３】
以後では、携帯端末１００の概略構成及びナビゲーション装置２００の概略構成についてそれぞれ説明する。【００３４】
まず、携帯端末１００の概略構成について説明する。携帯端末１００は、出力部１１と、入力部１２と、記憶部１３と、通信部１４と、制御部１５と、を備える。携帯端末１００の各要素は、図示しないバスを介して相互に接続され、各要素間で必要な情報が伝送可能なように構成されている。【００３５】
出力部１１は、端末利用者の操作に応答するための情報を出力する。具体的には、出力部１１は、制御部１５の制御に基づき、画像または映像の出力及び／又は音声出力を行う。【００３６】
入力部１２は、携帯端末１００に対して端末利用者が行う必要な命令や情報の入力、即ち操作を受け付けるインタフェースである。具体的には、入力部１２は、各種コマンドやデータを入力するための、キー、スイッチ、ボタン、音声入力装置等から構成されている。【００３７】
記憶部１３は、携帯端末１００の動作を制御するためのプログラムを保存したり、携帯端末１００の動作に必要な情報を保持したりするためのものである。特に、本実施例では、記憶部１３は、一例としてｖＣａｒｄ形式の電話帳データを記憶する。以後では、記憶部１３が保持する電話帳データ及び記憶部１３が保持する形式、即ちｖＣａｒｄ形式に従った電話帳データを「電話帳データＤｔ１」と呼ぶ。【００３８】
通信部１４は、所定のプロトコルに従い、他の装置とデータの送受信を行う。特に、本実施例では、通信部１４は、通信網３００を介して、電話帳データＤｔ１を生成するために必要な情報（以後、「目的情報Ｉｏ」と呼ぶ。）を受信する。目的情報Ｉｏは、名前、当該名前の緯度経度情報Ｉｓ、及び当該名前に対応する電話番号を含む。また、通信部１４は、ナビゲーション装置２００とＢｌｕｅｔｏｏｔｈ（登録商標）の通信規格に準拠した通信を行う。具体的には、通信部１４は、電話帳データの自動転送を規定するＰＢＡＰ（Ｐｈｏｎｅ  Ｂｏｏｋ  Ａｃｃｅｓｓ  Ｐｒｏｆｉｌｅ）を利用して電話帳データＤｔ１をナビゲーション装置２００へ送信する。【００３９】
制御部１５は、図示しないＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）などを備え、携帯端末１００内の各構成要素に対して種々の制御を行う。制御部１５は、後述するように、本発明における情報取得手段、電話帳データ生成手段、及び電話帳データ供給手段の一例である。制御部１５が実行する具体的な処理については、後述する［制御方法］のセクションで詳しく説明する。【００４０】
次に、ナビゲーション装置２００の概略構成について説明する。ナビゲーション装置２００は、出力部２１と、入力部２２と、記憶部２３と、通信部２４と、制御部２５と、を備える。ナビゲーション装置２００の各要素は、図示しないバスを介して相互に接続され、各要素間で必要な情報が伝送可能なように構成されている。【００４１】
出力部２１は、ナビゲーション装置２００の利用者（以後、単に「ナビ利用者」と呼ぶ。）の操作に応答するための情報を出力する。具体的には、出力部２１は、制御部２５の制御に基づき、画像または映像の出力及び／又は音声出力を行う。入力部２２は、ナビゲーション装置２００に対してナビ利用者が行う必要な命令や情報の入力、即ち操作を受け付けるインタフェースである。具体的には、入力部２２は、各種コマンドやデータを入力するための、キー、スイッチ、ボタン、リモコン、音声入力装置等から構成されている。【００４２】
記憶部２３は、例えば、ＨＤＤなどにより構成され、ナビゲーション処理に用いられる地図データ（以後、「地図データＤｍ」と呼ぶ。）などの各種データを記憶するユニットである。また、記憶部２３は、携帯端末１００から受信した電話帳データを所定の形式に変換して記憶する。以後では、記憶部２３が保持する電話帳データ及び記憶部２３が保持する形式に従った電話帳データを「電話帳データＤｔ２」と呼ぶ。電話帳データＤｔ２は、携帯端末１００から送信された情報に基づき生成される他、ナビ利用者の入力に基づき生成される。【００４３】
通信部２４は、所定のプロトコルに従い、他の装置とデータの送受信を行う。具体的には、通信部２４は、ＢｌｕｅｔｏｏｔｈのＰＢＡＰを利用して携帯端末１００から電話帳データを受信する。【００４４】
ＧＰＳ（Ｇｌｏｂａｌ  Ｐｏｓｉｔｉｏｎｉｎｇ  Ｓｙｓｔｅｍ）受信機２６は、複数のＧＰＳ衛星から、測位用データを含む下り回線データを搬送する電波３９を受信する。測位用データは、緯度及び経度情報等から車両の絶対的な位置（以後、「現在位置」とも呼ぶ。）を検出するために用いられる。【００４５】
制御部２５は、図示しないＣＰＵ、ＲＯＭ及びＲＡＭなどを備え、携帯端末１００内の各構成要素に対して種々の制御を行う。制御部２５は、後述するように、本発明における電話帳データ取得手段、緯度経度情報抽出手段、電話帳データ格納手段、及び表示制御手段の一例である。【００４６】
なお、上述の携帯端末１００の構成及びナビゲーション装置２００の構成は一例であり、本発明が適用可能な構成は、これに限定されない。例えば、ナビゲーション装置２００は、上述の構成に加え、ＣＤ又はＤＶＤなどのディスクから、音楽データ、映像データなどのコンテンツデータを読み出し、出力するディスクドライブを備えてもよい。この場合、ディスクドライブは、ＣＤ−ＲＯＭドライブ又はＤＶＤ−ＲＯＭドライブのうち、いずれか一方としてもよいし、ＣＤ及びＤＶＤコンパチブルのドライブとしてもよい。他の例では、ナビゲーション装置２００は、上述の構成に加え、加速度センサ、角速度センサ及び距離センサなどの自立測位装置を備えてもよい。【００４７】
［制御方法］
次に、電話帳データ共有システム５００で制御部１５及び制御部２５が実行する処理について、図２を参照して具体的に説明する。図２は、電話帳データ共有システム５００の機能ブロックを示した図の一例である。以下では、まず、制御部１５が実行する処理について説明した後、制御部２５が実行する処理について説明する。【００４８】
まず、図２を参照して制御部１５が実行する処理について説明する。図２に示すように、制御部１５は、情報取得部１５ａと、電話帳データ生成部１５ｂと、電話帳データ送信部１５ｃと、を備える。【００４９】
情報取得部１５ａは、入力部１２から供給される操作信号に基づき通信部１４を介して通信網３００に接続するサーバ等から目的情報Ｉｏを取得する。このとき、情報取得部１５ａは、入力部１２から供給される操作信号に基づき表示部１１ａの出力を制御する。【００５０】
この処理について具体例を用いて説明する。例えば、端末利用者は、入力部１２へ所定の入力をすることで、ブラウザを利用してインターネット上に存在するグルメサイトにアクセスしたとする。このとき、情報取得部１５ａは、端末利用者の入力に基づき、端末利用者が特定したお店（以後、「お店Ａ」と呼ぶ。）の所在地を示す地図を表示部１１ａに表示させる。さらに、端末利用者がお店Ａの電話帳データＤｔ１を生成する旨の入力を行った場合、情報取得部１５ａは、電話帳データＤｔ１の生成に必要な情報を目的情報Ｉｏとして取得する。例えば、情報取得部１５ａは、上述の例では、目的情報Ｉｏとして、お店Ａの名前、お店Ａの電話番号、及びお店Ａの緯度経度情報Ｉｓを取得する。【００５１】
次に、電話帳データ生成部１５ｂが実行する処理について説明する。電話帳データ生成部１５ｂは、情報取得部１５ａから供給される目的情報ＩｏからｖＣａｒｄ形式の電話帳データＤｔ１を生成し、記憶部１３に格納する。このとき、電話帳データ生成部１５ｂは、名前のフィールドに緯度経度情報Ｉｓを挿入する。これについて図３を用いて説明する。【００５２】
図３（ａ）は、電話帳データＤｔ１のデータ構造の一例を示す。図３（ａ）では、左側の列が格納すべきデータに対応する識別記号（フィールド名）を示し、右側の列が各フィールド名に対応するフィールドに格納されるデータの内容を示す。図３（ａ）に示すように、電話帳データＤｔ１は、名前を格納する「ＦＮ」フィールドと、名前を必要に応じて区切った「Ｎ」フィールドと、電話番号を格納する「ＴＥＬ」フィールドと、を含む。【００５３】
図３（ａ）に示すように、電話帳データ生成部１５ｂは、ＦＮフィールドの「Ｎａｍｅ」の後に「＠［Ｌｏｎ］［Ｌａｔ］＠」を挿入している。ここで、「Ｎａｍｅ」は名前の情報を指し、「Ｌｏｎ」は、経度を示す数字またはそれを暗号化した文字列に相当し、「Ｌａｔ」は、緯度を示す数字またはそれを暗号化した文字列に相当する。また、電話帳データ生成部１５ｂは、名前と緯度経度情報Ｉｓとを正しく区別するため、緯度経度情報Ｉｓの前後に緯度経度情報Ｉｓを区分けするための記号（以後、「特殊記号」と呼ぶ。）「＠」を挿入している。なお、特殊記号は、「＠」に代えて、他の記号またはこれらの組み合わせであってもよい。また、特殊記号は、名前と緯度経度情報Ｉｓとを区分けできれば緯度経度情報Ｉｓの前後のいずれかのみに付してもよい。【００５４】
図３（ｂ）は、リスト上に格納された電話帳データＤｔ１の具体例を示す。図３（ｂ）では、２つの電話帳データＤｔ１の実値が表示されている。名前が「Ｐａｒｉｓ」である上段の電話帳データＤｔ１のＦＮフィールドは、「Ｐａｒｉｓ」の後に、緯度経度情報Ｉｓに相当する「［６｜１８９４２０］［２１｜２８７７７］」が挿入されている。同様に、名前が「Ｂｅｒｌｉｎ」である下段の電話帳データＤｔ１のＦＮフィールドは、「Ｂｅｒｌｉｎ」の後に緯度経度情報Ｉｓに相当する「［５１｜３５５３９９］［８６｜８６１３９８］」が挿入されている。【００５５】
以上のように、電話帳データ生成部１５ｂは、ＦＮフィールドに緯度経度情報Ｉｓを挿入することで、ナビゲーション装置２００へ確実に緯度経度情報Ｉｓを供給し、活用させることができる。なお、ナビゲーション装置２００が緯度経度情報Ｉｓを活用する例ついては、後述する。そして、電話帳データ生成部１５ｂは、生成した電話帳データＤｔ１を記憶部１３に保存する。【００５６】
次に、電話帳データ送信部１５ｃが実行する処理について説明する。電話帳データ送信部１５ｃは、ナビゲーション装置２００とＢｌｕｅｔｏｏｔｈにより通信が確立された場合、自動的に、又は端末利用者の操作に基づき、記憶部１３に記憶された電話帳データＤｔ１を送信する。このとき、電話帳データ送信部１５ｃは、通信部１４によりナビゲーション装置２００へＰＢＡＰを利用して電話帳データＤｔ１を送信する。このとき送信される電話帳データＤｔ１は、端末利用者が指定した１の電話帳データＤｔ１であってもよく、または、記憶部１３に格納された電話帳データＤｔ１全体であってもよい。【００５７】
ここで、ＰＢＡＰのフォーマットについて図４を参照して説明する。図４は、ＰＢＡＰのフォーマットの一部を示す。図４では、左端の列がインデックスを示し、中央の列がフィールド名を示し、右端の列が各フィールド名に対応するフィールドに格納するデータの内容を示す。なお、ＰＢＡＰで必須構成として指定されるマンダトリなフィールドは、「ＦＮ」フィールド、「Ｎ」フィールド、及び「ＴＥＬ」フィールドである。【００５８】
上述したように、緯度経度情報Ｉｓは、マンダトリなフィールドであるＦＮフィールドに格納される。従って、電話帳データ送信部１５ｃは、緯度経度情報Ｉｓをマンダトリなフィールドに格納してナビゲーション装置２００へ送信することができる。【００５９】
一方、緯度経度情報Ｉｓをマンダトリではないフィールドに格納して送信した場合、ナビゲーション装置２００が保持する電話帳データＤｔ２の形式によっては、緯度経度情報Ｉｓは破棄される可能性がある。以上を考慮し、本実施例では、電話帳データ送信部１５ｃは、緯度経度情報Ｉｓをマンダトリなフィールドに格納してすることで、ナビゲーション装置２００が緯度経度情報Ｉｓを破棄するのを確実に防ぐことができる。【００６０】
次に、制御部２５が実行する処理について引き続き図２を参照して説明する。図２に示すように、制御部２５は、電話帳データ受信部２５ａと、電話帳データ格納部２５ｂと、緯度経度情報抽出部２５ｃと、表示制御部２５ｄと、を備える。【００６１】
まず、電話帳データ受信部２５ａは、ＰＢＡＰにより携帯端末１００から送信された電話帳データＤｔ１を通信部２４により受信する。そして、電話帳データ受信部２５ａは、受信した電話帳データＤｔ１を電話帳データ格納部２５ｂへ供給する。【００６２】
電話帳データ格納部２５ｂは、供給された電話帳データＤｔ１を予め定められた形式に変換し、電話帳データＤｔ２として記憶部２３へ格納する。これについて、図５を用いて説明する。【００６３】
図５は、記憶部２３に格納される電話帳データＤｔ２のデータ構造を示す。図５では、左側の列がインデックスを示し、右側の列が各インデックスに対応して格納するデータの内容を示す。【００６４】
電話帳データＤｔ２は、図５中の「Ｎａｍｅ」に相当し、名前を格納するフィールドと、図５中の「Ｔｅｌｅｐｈｏｎｅ  Ｎｕｍｂｅｒ」に相当し、電話番号を格納するフィールドと、の２つのフィールドのみを有する。従って、電話帳データ格納部２５ｂは、ＰＢＡＰにより携帯端末１００から供給された電話帳データＤｔ１のフィールドのうち、ＦＮフィールドとＴＥＬフィールドのみを抽出し、電話帳データＤｔ２として記憶部２３へ格納する。ここで、緯度経度情報Ｉｓは、上述したように、ＦＮフィールドに格納されている。従って、ナビゲーション装置２００は、図５に示すように電話帳データＤｔ２が最小限のフィールドしか有しないフォーマットであっても、緯度経度情報Ｉｓを破棄することなく、確実に記憶部２３に格納することができる。【００６５】
次に、緯度経度情報抽出部２５ｃが実行する処理について説明する。緯度経度情報抽出部２５ｃは、表示制御部２５ｄの要求に基づき、記憶部２３が記憶する電話帳データＤｔ２から緯度経度情報Ｉｓを抽出する。このとき、緯度経度情報Ｉｓは、図５に示す電話帳データＤｔ２のインデックス「＃１」の部分に、図３（ａ）の電話帳データＤｔ１のＦＮフィールドと同じ形式で記憶されている。即ち、緯度経度情報Ｉｓは、特殊記号「＠」によって名前の情報と明確に区別されている。従って、緯度経度情報抽出部２５ｃは、特殊記号「＠」によって挟まれた部分を抽出することで、緯度経度情報Ｉｓを容易に抽出することができる。そして、緯度経度情報抽出部２５ｃは、抽出した緯度経度情報Ｉｓを表示制御部２５ｄへ供給する。【００６６】
次に、表示制御部２５ｄが実行する処理について説明する。表示制御部２５ｄは、地図データＤｍ、ＧＰＳ受信機２６から供給される現在地情報、及びナビ利用者からの入力部２２への入力等に基づき、表示部２１ａの表示を制御する。特に、本実施例では、表示制御部２５ｄは、ナビ利用者の操作に基づき、電話帳データＤｔ２のリスト（以後、「コンタクトリスト」と呼ぶ。）の表示を行うと共に、緯度経度情報抽出部２５ｃから供給される緯度経度情報Ｉｓに基づき地図表示を行う。【００６７】
これについて図６を参照して具体的に説明する。図６は、ナビゲーション装置２００が出力するコンタクトリストの表示画面５０の一例を示す。表示画面５０は、例えば、ナビ利用者の操作に基づき、又は、電話帳データＤｔ２の生成時に自動的に表示される。なお、表示画面５０は、例えばタッチパネル方式であり、ナビ利用者の表示画面５０への押下に基づく入力を受け付ける。【００６８】
図６に示すように、表示画面５０は、メニューリスト５１と、スクロールバー５２と、コンタクトリスト５３と、操作コマンドに対応するボタン５５乃至５７と、を備える。【００６９】
メニューリスト５１は、コンタクトリスト５３を所定の関連性に基づき分類したメニューである。表示画面５０では、一例として、メニューリスト５１のうち、「ＡＢＣＤＥ」メニューが選択された状態を示している。スクロールバー５２は、コンタクトリスト５３が画面上に全て表示しきれない場合に、コンタクトリスト５３の全体に対する表示部分の位置を視覚化したものである。【００７０】
コンタクトリスト５３は、種別表示フィールド５３ａと、名前表示フィールド５３ｂと、を備える。種別表示フィールド５３ａは、緯度経度情報Ｉｓを含む電話帳データＤｔ２か否かを区別するための表示領域である。図６の例では、マーク「Ｍ」が緯度経度情報Ｉｓの存在する電話帳データＤｔ２に対応する項目であることを示し、マーク「Ｃ」が緯度経度情報Ｉｓを含まない電話帳データＤｔ２を示す項目であることを示している。これにより、表示制御部２５ｄは、ナビ利用者に容易にコンタクトリスト中の各項目が緯度経度情報Ｉｓを含む電話帳データＤｔ２を示しているか否か識別させることができる。従って、表示制御部２５ｄは、ナビ利用者の誤操作を防ぐことができる。これについては、後述する操作例でさらに詳しく説明する。名前表示フィールド５３ｂは、電話帳データＤｔ２のうち、図５に示すインデックス「＃１」に相当する部分の内容が表示される領域である。【００７１】
ボタン５５に対応する操作コマンド「Ｂａｃｋ」は、前画面への遷移をナビ利用者が指定するためのインタフェースである。ボタン５６に対応する操作コマンド「Ｄｅｌｅｔｅ」は、コンタクトリスト５３から選択された項目及びこれに対応する電話帳データＤｔ２を削除するためのインタフェースである。ボタン５７に対応する操作コマンド「Ｓｅａｒｃｈ」は、ナビ利用者がコンタクトリスト５３から選択した電話帳データＤｔ２の詳細情報を表示するためのインタフェースである。【００７２】
次に、表示画面５０が表示された後のナビ利用者の操作例について説明する。例えば、ナビ利用者がコンタクトリスト５３から種別表示フィールド５３ａの表示が「Ｍ」である項目を選択した場合、表示制御部２５ｄは、当該項目に対応する電話帳データＤｔ２の緯度経度情報Ｉｓの抽出を緯度経度情報抽出部２５ｃに指示する。そして、表示制御部２５ｄは、緯度経度情報抽出部２５ｃから供給される緯度経度情報Ｉｓに基づき、当該緯度経度情報Ｉｓを含む地図を表示する。また、表示制御部２５ｄは、地図の表示後、さらにナビ利用者からの目的地設定又は経由地設定を受け付ける。【００７３】
他の例では、ナビ利用者がコンタクトリスト５３から種別表示フィールド５３ａの表示が「Ｃ」である項目を選択した場合、表示制御部２５ｄは、当該項目が示す電話帳データＤｔ２から電話番号を抽出する。そして、表示制御部２５ｄは、当該電話番号を画面上に表示し、又は当該電話番号を指定して電話をかける。【００７４】
以上の操作例では、表示制御部２５ｄは、ナビ利用者によって指定された項目が緯度経度情報Ｉｓを含むか否かによって次に実行する処理を変えている。しかし、このような場合であっても、表示制御部２５ｄは、種別表示フィールド５３ａによって各項目が緯度経度情報Ｉｓを含むか否かについて明確に表示することにより、ナビ利用者の誤操作を確実に防ぐ。即ち、表示制御部２５ｄは、例えばナビ利用者が電話をかける意図を有している場合に地図表示を行うのを防ぎ、又は、ナビ利用者が地図表示を行う意図を有している場合に電話番号を利用して電話をかけること等を防ぐことができる。【００７５】
以上のように、本実施例による電話帳データ共有システムは、携帯端末と、ナビゲーション装置と、を備える。携帯端末は、ｖＣａｒｄ形式により電話帳データを保持する。ナビゲーション装置は、Ｂｌｕｅｔｏｏｔｈにより電話帳データの授受を行う。携帯端末は、情報取得手段と、電話帳データ生成手段と、電話帳データ供給手段と、電話帳データ供給手段と、を備える。情報取得手段は、外部入力に基づき緯度経度情報を含む目的情報を取得する。電話帳データ生成手段は、名前のフィールド又は電話番号のフィールドの少なくとも一方に緯度経度情報を挿入した電話帳データを生成する。ナビゲーション装置は、電話帳データ取得手段と、緯度経度情報抽出手段と、を備える。電話帳データ取得手段は、Ｂｌｕｅｔｏｏｔｈにより、携帯端末から供給された電話帳データを取得する。緯度経度情報抽出手段は、取得した電話帳データから緯度経度情報を抽出する。これにより、ナビゲーション装置は、確実に携帯端末から緯度経度情報を取得し、活用することができる。例えば、その後、ナビゲーション装置は、緯度経度情報に基づき、地図表示を行い、当該緯度経度情報が示す地点を地点登録し、目的地として設定し、又は／及び経由地に設定する。以上のように、電話帳データ共有システムは、適切に緯度経度情報を含む電話帳データを携帯端末及びナビゲーション装置間で共有し、同期させることができる。【００７６】
（処理フロー）
次に、本実施例で携帯端末１００及びナビゲーション装置２００が実行する処理手順について図７を用いて説明する。図７は、本実施例で携帯端末１００及びナビゲーション装置２００が実行する処理手順を示すフローチャートの一例である。携帯端末１００及びナビゲーション装置２００は、図７に示すフローチャートの処理を、所定の周期に従い繰り返し実行する。【００７７】
まず、携帯端末１００は、端末利用者の操作に基づき通信網３００を介して目的情報Ｉｏを取得する（ステップＳ１０１）。例えば、携帯端末１００は、端末利用者がブラウザでキーワード検索などを実行した結果に基づき、端末利用者が指定した店名等の名前、電話番号、及び緯度経度情報Ｉｓ等をインターネットから取得する。【００７８】
次に、携帯端末１００は、目的情報Ｉｏに基づき、ＦＮフィールドに緯度経度情報Ｉｓが挿入された電話帳データＤｔ１を生成し、保存する（ステップＳ１０２）。具体的には、携帯端末１００は、図３（ａ）に示すような形式に目的情報Ｉｏを変換し、記憶部１３に電話帳データＤｔ１として保存する。【００７９】
そして、携帯端末１００とナビゲーション装置２００とは、通信を確立する（ステップＳ１０３、Ｓ２０１）。具体的には、端末利用者は、Ｂｌｕｅｔｏｏｔｈにより通信可能な位置に携帯端末１００とナビゲーション装置２００とを所定範囲内に近づけ、通信を確立させる。【００８０】
そして、携帯端末１００は、電話帳データＤｔ１の送信を行う（ステップＳ１０４）。具体的には、携帯端末１００は、ＰＢＡＰを利用して記憶装置１３に記憶された電話帳データＤｔ１をナビゲーション装置２００へ送信する。【００８１】
次に、ナビゲーション装置２００は、電話帳データＤｔ１を受信する（ステップＳ２０２）。そして、ナビゲーション装置２００は、受信した電話帳データＤｔ１に基づき電話帳データＤｔ２を生成し保存する（ステップＳ２０３）。具体的には、ナビゲーション装置２００は、図３（ａ）に示す形式の電話帳データＤｔ１から図５に示す形式の電話帳データＤｔ２を生成し、記憶部２３に保存する。この場合であっても、ナビゲーション装置２００は、緯度経度情報Ｉｓを破棄することなく記憶部２３に保存することができる。【００８２】
そして、ナビゲーション装置２００は、電話帳データＤｔ２から緯度経度情報Ｉｓを抽出する（ステップＳ２０４）。上述の例では、緯度経度情報Ｉｓは、名前と特殊記号「＠」により区別されている。従って、ナビゲーション装置２００は、電話帳データＤｔ２から容易に緯度経度情報Ｉｓを抽出することができる。【００８３】
次に、ナビゲーション装置２００は、緯度経度情報Ｉｓに基づき、地図表示又は目的地設定等を行う（ステップＳ２０５）。以上のように、電話帳データ共有システム５００によれば、ナビゲーション装置２００は、携帯端末１００が生成した緯度経度情報Ｉｓを含む電話帳データＤｔ１を確実に受信することができ、緯度経度情報Ｉｓに基づき地図表示等を行うことができる。【００８４】
［変形例１］
図１の説明では、携帯端末１００は、Ｂｌｕｅｔｏｏｔｈによりナビゲーション装置２００と通信を行い、電話帳データＤｔ１の授受を行っていた。しかし、本発明が適用可能な構成は、これに限定されない。これに代えて、例えば、携帯端末１００は、ケーブルなどによる有線接続によりナビゲーション装置２００と接続し、電話帳データＤｔ１をナビゲーション装置２００へ送信してもよい。他の例では、端末利用者又はナビ利用者が、携帯端末１００が保持する電話帳データＤｔ１を、記憶媒体を介してナビゲーション装置２００へ供給させる。これらの場合であっても、携帯端末１００は、電話帳データＤｔ１の生成時に名前の情報を格納するフィールド（ＦＮフィールド）に緯度経度情報Ｉｓを挿入することで、確実にナビゲーション装置２００に緯度経度情報Ｉｓを供給し活用させることができる。【００８５】
［変形例２］
上述の図３の説明では、緯度経度情報Ｉｓは、名前の情報を格納するＦＮフィールドに挿入されていた。しかし、本発明が適用可能な構成は、これに限定されない。例えば、これに代えて、またはこれに加えて、携帯端末１００は、電話番号を格納するＴＥＬフィールドに緯度経度情報Ｉｓを挿入してもよい。この場合であっても、携帯端末１００は、特殊記号を用いて、電話番号の情報と区分け可能に緯度経度情報ＩｓをＴＥＬフィールドに挿入する。これによっても、本発明を好適に適用することができる。【００８６】
［変形例３］
図１に示す構成では、電話帳データ共有システム５００は、携帯端末１００とナビゲーション装置２００とを備えていた。しかし、電話帳データ共有システム５００は、携帯端末１００に代えて、ＰＣやＧＰＳ機能付きのカメラなどのように、インターネット等の通信網を介して又は独自に緯度経度情報Ｉｓを取得すると共に電話帳データＤｔ１を記憶可能な端末装置でもよい。この場合であっても、電話帳データ共有システム５００は、端末装置とナビゲーション装置２００とがＢｌｕｅｔｏｏｔｈその他変形例１で述べた通信手段により緯度経度情報Ｉｓが挿入された電話帳データＤｔ１の授受を行う。【００８７】
［変形例４］
上述の［制御方法］のセクションにおける説明では、電話帳データ格納部２５ｂは、電話帳データ受信部２５ａから電話帳データＤｔ１の供給を受け、記憶部２３に電話帳データＤｔ２を格納していた。しかし、本発明が適用可能な構成は、これに限定されない。これに代えて、ナビゲーション装置２００は、電話帳データＤｔ１の受信後、記憶部２３に記憶することなく受信した電話帳データＤｔ１又はこれを加工した内容を表示部２１ａに表示させてもよい。この場合、電話帳データ受信部２５ａは、携帯端末１００から受信した電話帳データＤｔ１を、電話帳データ格納部２５ｂに供給することなく緯度経度情報抽出部２５ｃ又は／及び表示制御部２５ｄに供給する。その後、表示制御部２５ｄは、例えば緯度経度情報Ｉｓに基づき地図表示をしたり、受信した電話帳データＤｔ１の内容を表示する。【００８８】
［変形例５］
図６の操作例では、表示制御部２５ｄは、緯度経度情報Ｉｓを含む電話帳データＤｔ２の項目をナビ利用者が選択した場合、緯度経度情報Ｉｓを使用して地図表示を行った。これに代えて、表示制御部２５ｄは、緯度経度情報Ｉｓを含む電話帳データＤｔ２であってもナビ利用者が電話番号を使用可能に表示制御してもよい。【００８９】
例えば、表示制御部２５ｄは、緯度経度情報Ｉｓを備える電話帳データＤｔ２を、ナビ利用者が電話番号を利用する場合に指定させる項目と緯度経度情報Ｉｓを利用する場合に指定させる項目との２つに分けて表示する。そして、表示制御部２５ｄは、ナビ利用者が電話番号を利用する項目を選択した場合、電話番号の表示又は当該電話番号を指定して電話をかける。一方、表示制御部２５ｄは、ナビ利用者が緯度経度情報Ｉｓを利用する項目を選択した場合、実施例と同様、地図表示を行う。他の例では、表示制御部２５ｄは、ナビ利用者が表示画面５０で緯度経度情報Ｉｓを有する電話帳データＤｔ２の項目を指定した場合に、さらに、電話番号を使用するか又は緯度経度情報Ｉｓを用いて地図表示等するかを選択させるメニューを表示してもよい。
【符号の説明】
【００９０】
１１、２１  出力部
１２、２２  入力部
１３、２３  記憶部
１４、２４  通信部
１５、２５  制御部
２６  ＧＰＳ
１００  携帯端末
２００  ナビゲーション装置
３００  通信網
５００  電話帳データ共有システム
【図１】
2010146703.tif 000003
【図２】
2010146703.tif 000004
【図３】
2010146703.tif 000005
【図４】
2010146703.tif 000006
【図５】
2010146703.tif 000007
【図６】
2010146703.tif 000008
【図７】
2010146703.tif 000009
【手続補正書】
【提出日】平成23年12月15日(2011.12.15)
【手続補正１】
【補正対象書類名】特許請求の範囲
【補正対象項目名】全文
【補正方法】変更
【補正の内容】
【特許請求の範囲】
【請求項１】
所定の形式により電話帳データを保持する端末装置と、前記端末装置と電磁的な方法により電話帳データの授受を行うナビゲーション装置と、を備える電話帳データ共有システムであって、
前記端末装置は、
外部入力に基づき位置情報を含む目的情報を取得する情報取得手段と、
前記目的情報に基づき、名前のフィールド又は電話番号のフィールドの少なくとも一方に前記位置情報を挿入した電話帳データを生成する電話帳データ生成手段と、
前記電話帳データを前記ナビゲーション装置へ供給する電話帳データ供給手段と、を備え、
前記ナビゲーション装置は、
前記電話帳データ供給手段が供給した電話帳データを取得する電話帳データ取得手段と、
取得した前記電話帳データから前記位置情報を抽出する位置情報抽出手段と、
を備えることを特徴とする電話帳データ共有システム。
【請求項２】
前記電話帳データ生成手段は、前記フィールドに前記位置情報を挿入する場合、前記名前又は前記電話番号の情報に続けて前記位置情報を配列し、両者を区分けするための記号を前記位置情報の前後のいずれか又は両方に付することを特徴とする請求項１に記載の電話帳データ共有システム。
【請求項３】
前記ナビゲーション装置は、
記憶部と、
前記電話帳データ取得手段により取得した電話帳データから前記名前のフィールド及び前記電話番号のフィールドを抽出して新たな電話帳データを生成し前記記憶部に格納する電話帳データ格納手段と、
をさらに備えることを特徴とする請求項１または２に記載の電話帳データ共有システム。
【請求項４】
前記ナビゲーション装置は、
表示部と、
前記記憶部に記憶された電話帳データのリストを表示すると共に、前記リストの各項目には、前記位置情報を含むか否かを識別するための表示を付する表示制御手段と、
をさらに備えることを特徴とする請求項３に記載の電話帳データ共有システム。
【請求項５】
前記表示制御手段は、前記リストから外部入力に基づき指定された項目が前記位置情報を含む場合、当該位置情報に基づき前記表示部に地図表示を行うことを特徴とする請求項４に記載の電話帳データ共有システム。
【請求項６】
電磁的な方法により端末装置から名前のフィールド又は電話番号のフィールドの少なくとも一方に位置情報が挿入された電話帳データの供給を受けるナビゲーション装置であって、
前記端末装置から電話帳データを取得する電話帳データ取得手段と、
前記電話帳データにおける前記名前のフィールド又は電話番号のフィールドの少なくとも一方から前記位置情報を抽出する位置情報抽出手段と、
を備えることを特徴とするナビゲーション装置。
【請求項７】
記憶部と、
前記電話帳データ取得手段により取得した電話帳データから前記名前のフィールド及び前記電話番号のフィールドを抽出して新たな電話帳データを生成し前記記憶部に格納する電話帳データ格納手段と、
をさらに備えることを特徴とする請求項６に記載のナビゲーション装置。
【請求項８】
表示部と、
前記記憶部に記憶された電話帳データのリストを表示すると共に、前記リストの各項目には、前記位置情報を含むか否かを識別するための表示を付する表示制御手段と、
をさらに備えることを特徴とする請求項７に記載のナビゲーション装置。
【請求項９】
前記表示制御手段は、前記リストから外部入力に基づき指定された項目が前記位置情報を含む場合、当該位置情報に基づき前記表示部に地図表示を行うことを特徴とする請求項８に記載のナビゲーション装置。
【請求項１０】
電磁的な方法によりナビゲーション装置と電話帳データの授受を行う端末装置であって、
外部入力に基づき位置情報を含む目的情報を取得する情報取得手段と、
前記目的情報に基づき、名前のフィールド又は電話番号のフィールドの少なくとも一方に前記位置情報を挿入した電話帳データを生成する電話帳データ生成手段と、
前記電話帳データを前記ナビゲーション装置へ供給する電話帳データ供給手段と、を備えることを特徴とする端末装置。
【請求項１１】
前記電話帳データ生成手段は、前記フィールドに前記位置情報を挿入する場合、前記名前又は前記電話番号と区分けするための記号を前記位置情報の前後に付することを特徴とする請求項１０に記載の端末装置。
【請求項１２】
電磁的な方法により端末装置から名前のフィールド又は電話番号のフィールドの少なくとも一方に位置情報が挿入された電話帳データの供給を受けるナビゲーション装置により実行されるプログラムであって、
前記端末装置から電話帳データを取得する電話帳データ取得手段と、
前記電話帳データにおける前記名前のフィールド又は電話番号のフィールドの少なくとも一方から前記位置情報を抽出する位置情報抽出手段
として前記ナビゲーション装置を機能させることを特徴とするプログラム。
【請求項１３】
電磁的な方法によりナビゲーション装置と電話帳データの授受を行う端末装置により実行されるプログラムであって、
外部入力に基づき位置情報を含む目的情報を取得する情報取得手段と、
前記目的情報に基づき、名前のフィールド又は電話番号のフィールドの少なくとも一方に前記位置情報を挿入した電話帳データを生成する電話帳データ生成手段と、
前記電話帳データを前記ナビゲーション装置へ供給する電話帳データ供給手段として前記端末装置を機能させることを特徴とするプログラム。
【請求項１４】
請求項１２又は請求項１３に記載のプログラムを記憶したことを特徴とする記憶媒体。
【手続補正２】
【補正対象書類名】明細書
【補正対象項目名】０００６
【補正方法】変更
【補正の内容】
【０００６】
請求項１に記載の発明は、所定の形式により電話帳データを保持する端末装置と、前記端末装置と電磁的な方法により電話帳データの授受を行うナビゲーション装置と、を備える電話帳データ共有システムであって、前記端末装置は、外部入力に基づき位置情報を含む目的情報を取得する情報取得手段と、前記目的情報に基づき、名前のフィールド又は電話番号のフィールドの少なくとも一方に前記位置情報を挿入した電話帳データを生成する電話帳データ生成手段と、前記電話帳データを前記ナビゲーション装置へ供給する電話帳データ供給手段と、を備え、前記ナビゲーション装置は、前記電話帳データ供給手段が供給した電話帳データを取得する電話帳データ取得手段と、取得した前記電話帳データから前記位置情報を抽出する位置情報抽出手段と、を備えることを特徴とする。
【手続補正３】
【補正対象書類名】明細書
【補正対象項目名】０００７
【補正方法】変更
【補正の内容】
【０００７】
請求項６に記載の発明は、電磁的な方法により端末装置から名前のフィールド又は電話番号のフィールドの少なくとも一方に位置情報が挿入された電話帳データの供給を受けるナビゲーション装置であって、前記端末装置から電話帳データを取得する電話帳データ取得手段と、前記電話帳データにおける前記名前のフィールド又は電話番号のフィールドの少なくとも一方から前記位置情報を抽出する位置情報抽出手段と、を備えることを特徴とする。
【手続補正４】
【補正対象書類名】明細書
【補正対象項目名】０００８
【補正方法】変更
【補正の内容】
【０００８】
請求項１０に記載の発明は、電磁的な方法によりナビゲーション装置と電話帳データの授受を行う端末装置であって、外部入力に基づき位置情報を含む目的情報を取得する情報取得手段と、前記目的情報に基づき、名前のフィールド又は電話番号のフィールドの少なくとも一方に前記位置情報を挿入した電話帳データを生成する電話帳データ生成手段と、前記電話帳データを前記ナビゲーション装置へ供給する電話帳データ供給手段と、を備えることを特徴とする。
【手続補正５】
【補正対象書類名】明細書
【補正対象項目名】０００９
【補正方法】変更
【補正の内容】
【０００９】
請求項１２に記載の発明は、電磁的な方法により端末装置から名前のフィールド又は電話番号のフィールドの少なくとも一方に位置情報が挿入された電話帳データの供給を受けるナビゲーション装置により実行されるプログラムであって、前記端末装置から電話帳データを取得する電話帳データ取得手段と、前記電話帳データにおける前記名前のフィールド又は電話番号のフィールドの少なくとも一方から前記位置情報を抽出する位置情報抽出手段として前記ナビゲーション装置を機能させる。
【手続補正６】
【補正対象書類名】明細書
【補正対象項目名】００１０
【補正方法】変更
【補正の内容】
【００１０】
請求項１３に記載の発明は、電磁的な方法によりナビゲーション装置と電話帳データの授受を行う端末装置により実行されるプログラムであって、外部入力に基づき位置情報を含む目的情報を取得する情報取得手段と、前記目的情報に基づき、名前のフィールド又は電話番号のフィールドの少なくとも一方に前記位置情報を挿入した電話帳データを生成する電話帳データ生成手段と、前記電話帳データを前記ナビゲーション装置へ供給する電話帳データ供給手段として前記端末装置を機能させることを特徴とする。
【国際調査報告】
2010146703.tif 000010
2010146703.tif 000011
2010146703.tif 000012
2010146703.tif 000013